(57)【要約】【課題】種々の形状を有する標本載置部材を安定して、かつ簡単に保持することができ、標本載置部材に載置された標本を良好に観察することができる顕微鏡を提供すること。【解決手段】シャーレ１００ａとスライドガラス１００ｂとを個別に保持する保持ユニット３０を備えた顕微鏡において、円形状の開口３２１を覆う態様で開口縁部３２１ａの上面にシャーレ１００ａが載置された場合に該シャーレ１００ａを保持するシャーレ保持部材３２と、矩形状の開口３１１を有し、開口３１１を臨む態様で付設されたスライドガラス支持部３１３によりスライドガラス１００ｂが支持された場合にスライドガラス１００ｂを保持するスライドガラス保持部材３１と、  シャーレ保持部材３２がスライドガラス保持部材３１に対して相対的に移動可能となる態様で、シャーレ保持部材３２とスライドガラス保持部材３１とを係合する係合手段とを備えたものである。【選択図】      図３
2010054850.tif 000002
【特許請求の範囲】
【請求項１】
円形状の底面に標本が載置された第１標本載置部材と、矩形状の底面に標本が載置された第２標本載置部材とを個別に保持する保持ユニットと、
前記標本を観察する対物レンズと
を備えた顕微鏡において、
前記保持ユニットは、
形成された円形状の開口を覆う態様で開口縁部の上面に前記第１標本載置部材が載置された場合に該第１標本載置部材を保持し、前記対物レンズの光軸上で前記第１標本載置部材に載置された標本の観察を可能にする第１保持部材と、
矩形状の開口を有し、付設された支持部材により前記第２標本載置部材が前記開口を臨む態様で支持された場合に該第２標本載置部材を保持し、前記対物レンズの光軸上で前記第２標本載置部材に載置された標本の観察を可能にする第２保持部材と、
前記第１保持部材が前記第２保持部材に対して相対的に移動可能となる態様で、第１保持部材と第２保持部材とを係合する係合手段と
を備え、
前記係合手段は、前記第１保持部材に保持された第１標本載置部材の標本の観察を行う場合には、前記第１保持部材と前記第２保持部材とを互いの開口が対向する態様で重なった状態にする一方、前記第２保持部材に保持された第２標本載置部材の標本の観察を行う場合には、前記第２保持部材の外方域に前記第１保持部材を退避移動させた状態にすることを特徴とする顕微鏡。
【請求項２】
前記保持ユニットに保持された第１標本載置部材、あるいは第２標本載置部材に対して前記対物レンズを近接離反する態様で変位させる変位機構を備え、
前記係合手段は、前記変位機構が前記対物レンズを予め決められた変位量だけ変位するまで前記第１保持部材の相対的な移動を規制することを特徴とする請求項１に記載の顕微鏡。
【請求項３】
前記第１保持部材が前記第２保持部材に対して退避移動させた状態、あるいは重なった状態にあるかを検知する検知手段と、
切換指令が与えられ、かつ前記検知手段により退避移動させた状態にあることが検知された場合に、前記第１保持部材を前記第２保持部材に重なった状態になるまで移動させる一方、切換指令が与えられ、かつ前記検知手段により重なった状態にあることが検知された場合に、前記第１保持部材を退避移動させる制御手段を備えたことを特徴とする請求項１に記載の顕微鏡。
【請求項４】
前記保持ユニットに保持された第１標本載置部材、あるいは第２標本載置部材に対して前記対物レンズを近接離反する態様で変位させる変位機構を備え、
前記制御手段は、切換指令が与えられた場合であっても前記変位機構が前記対物レンズを予め決められた変位量だけ変位するまで前記第１保持部材の相対的な移動を規制することを特徴とする請求項３に記載の顕微鏡。
【発明の詳細な説明】
【技術分野】
【０００１】
本発明は、顕微鏡に関し、より詳細には、例えばシャーレやスライドガラス等のような標本載置部材を個別に保持する保持ユニットを備えた顕微鏡に関するものである。
【背景技術】
【０００２】
例えば生体細胞や細胞片等の生物標本を観察する場合には、この生物標本が載置された標本載置部材を顕微鏡に設置して行うのが一般的である。生体細胞を生きたままで観察する場合には、シャーレのような円形状の底面を有する標本載置部材の底面に標本（生体細胞）を載置し、培養してから観察を行う。細胞片等を観察する場合には、スライドガラスのような矩形状の底面を有する標本載置部材の底面に標本（細胞片等）を載置し、カバーガラスを接着させてから観察を行う。このように標本載置部材には種々の形状等があり、これら標本載置部材を個別に保持する次のような保持ユニットを備えた顕微鏡が知られている。
【０００３】
かかる顕微鏡に適用される保持ユニットは、基板と、スライドガラス保持部と、シャーレ保持部とを備えて構成されている。
【０００４】
基板は、顕微鏡のステージに取り付けられており、開口が形成されている。この開口は、標本載置部材に載置された標本の観察を行うためのものである。スライドガラス保持部は、基板の開口近傍となる個所に設けられており、上記開口を臨む態様でスライドガラスを保持するためのものである。シャーレ保持部は、一対のシャーレ保持部材を有している。一対のシャーレ保持部材は、一方のシャーレ保持部材が他方のシャーレ保持部材に対して近接離反する態様で移動することにより、両者の間隔を増減するものである。このようなシャーレ保持部では、一方のシャーレ保持部材を移動させて他方のシャーレ保持部材とともに、シャーレをその底面が上記開口を臨む態様で挟持して保持するようにしている（例えば、特許文献１参照）。
【０００５】
【特許文献１】特開平１１−２０２２１３号公報
【発明の開示】
【発明が解決しようとする課題】
【０００６】
ところが、上述したような特許文献１に提案されているような顕微鏡では、保持ユニットを構成するシャーレ保持部においてシャーレを一対のシャーレ保持部材で挟持して保持していたので、シャーレの径が異なるたびに一対のシャーレ保持部材の間隔を調整しなければならず煩雑なものとなる。しかも、一対のシャーレ保持部材で挟持してシャーレを保持していたために、挟持力が充分でないとシャーレを安定して保持することが困難になり、転倒してしまう虞れがあった。
【０００７】
本発明は、上記実情に鑑みて、種々の形状を有する標本載置部材を安定して、かつ簡単に保持することができ、標本載置部材に載置された標本を良好に観察することができる顕微鏡を提供することを目的とする。
【課題を解決するための手段】
【０００８】
上記目的を達成するために、本発明の請求項１に係る顕微鏡は、円形状の底面に標本が載置された第１標本載置部材と、矩形状の底面に標本が載置された第２標本載置部材とを個別に保持する保持ユニットと、前記標本を観察する対物レンズとを備えた顕微鏡において、前記保持ユニットは、形成された円形状の開口を覆う態様で開口縁部の上面に前記第１標本載置部材が載置された場合に該第１標本載置部材を保持し、前記対物レンズの光軸上で前記第１標本載置部材に載置された標本の観察を可能にする第１保持部材と、矩形状の開口を有し、付設された支持部材により前記第２標本載置部材が前記開口を臨む態様で支持された場合に該第２標本載置部材を保持し、前記対物レンズの光軸上で前記第２標本載置部材に載置された標本の観察を可能にする第２保持部材と、前記第１保持部材が前記第２保持部材に対して相対的に移動可能となる態様で、第１保持部材と第２保持部材とを係合する係合手段とを備え、前記係合手段は、前記第１保持部材に保持された第１標本載置部材の標本の観察を行う場合には、前記第１保持部材と前記第２保持部材とを互いの開口が対向する態様で重なった状態にする一方、前記第２保持部材に保持された第２標本載置部材の標本の観察を行う場合には、前記第２保持部材の外方域に前記第１保持部材を退避移動させた状態にすることを特徴とする。
【０００９】
また、本発明の請求項２に係る顕微鏡は、上述した請求項１において、前記保持ユニットに保持された第１標本載置部材、あるいは第２標本載置部材に対して前記対物レンズを近接離反する態様で変位させる変位機構を備え、前記係合手段は、前記変位機構が前記対物レンズを予め決められた変位量だけ変位するまで前記第１保持部材の相対的な移動を規制することを特徴とする。
【００１０】
また、本発明の請求項３に係る顕微鏡は、上述した請求項１において、前記第１保持部材が前記第２保持部材に対して退避移動させた状態、あるいは重なった状態にあるかを検知する検知手段と、切換指令が与えられ、かつ前記検知手段により退避移動させた状態にあることが検知された場合に、前記第１保持部材を前記第２保持部材に重なった状態になるまで移動させる一方、切換指令が与えられ、かつ前記検知手段により重なった状態にあることが検知された場合に、前記第１保持部材を退避移動させる制御手段を備えたことを特徴とする。
【００１１】
また、本発明の請求項４に係る顕微鏡は、上述した請求項３において、前記保持ユニットに保持された第１標本載置部材、あるいは第２標本載置部材に対して前記対物レンズを近接離反する態様で変位させる変位機構を備え、前記制御手段は、切換指令が与えられた場合であっても前記変位機構が前記対物レンズを予め決められた変位量だけ変位するまで前記第１保持部材の相対的な移動を規制することを特徴とする。
【発明の効果】
【００１２】
本発明の顕微鏡によれば、第１保持部材が、円形状の開口を覆う態様で開口縁部の上面に第１標本載置部材が載置された場合に該第１標本載置部材を保持し、第２保持部材が、矩形状の開口を有し、付設された支持部材により第２標本載置部材が上記開口を臨む態様で支持された場合に該第２標本載置部材を保持し、第１保持部材が第２保持部材に対して相対的に移動可能となる態様で、第１保持部材と第２保持部材とを係合する係合手段が、第１保持部材に保持された第１標本載置部材の標本の観察を行う場合には、第１保持部材と第２保持部材とを互いの開口が対向する態様で重なった状態にする一方、第２保持部材に保持された第２標本載置部材の標本の観察を行う場合には、第２保持部材の外方域に第１保持部材を退避移動させた状態にするので、第１標本載置部材の標本を観察する場合には、第１保持部材の開口を覆う態様で開口縁部の上面に第１標本載置部材を載置するだけで良く、第１標本載置部材が転倒する虞れがない。第２標本載置部材の標本を観察する場合には第１保持部材を退避移動させて第２保持部材に第２標本載置部材を保持させれば良い。従って、種々の形状を有する標本載置部材を安定して、かつ簡単に保持することができ、標本載置部材に載置された標本を良好に観察することができるという効果を奏する。
【発明を実施するための最良の形態】
【００１３】
以下に添付図面を参照して、本発明に係る顕微鏡の好適な実施の形態について詳細に説明する。
【００１４】
＜実施の形態１＞
図１及び図２は、それぞれ本発明の実施の形態１である顕微鏡の構成を示すものであり、図１は顕微鏡を正面から示した概略図、図２は制御系を示す接続図である。ここで例示する顕微鏡は、倒立型顕微鏡であり、顕微鏡の骨格を成す顕微鏡本体１に、ステージ２、レボルバ３、第１ランプハウス４、ミラーユニット５、ミラー６、鏡筒７及び第２ランプハウス８を設けて構成してある。
【００１５】
ステージ２は、顕微鏡本体１の中位の高さレベルに設けてある。ステージ２は、例えばシャーレやスライドガラスのような底面に標本が載置された標本載置部材１００を保持する保持ユニット３０を搭載するものである。このステージ２には、複数（図示の例では２つ）のモータ２ａ，２ｂが内蔵されており、１つはステージ２を左右方向（Ｘ方向）に移動させるための駆動源、もう１つはステージ２を前後方向（Ｙ方向）に移動させるための駆動源である。つまり、ステージ２は、Ｘ方向及びＹ方向に移動可能なものである。かかるモータ２ａ，２ｂは、それぞれ制御装置４０にケーブルＣ１で接続してある。この制御装置４０については後述する。
【００１６】
レボルバ３は、ステージ２の下方域にレボルバ保持台９に回転自在に固定されている。このレボルバ３は、倍率の異なる複数の対物レンズ１０を固定配置しており、自身が回転することにより択一的に選択された対物レンズ１０をステージ２にある標本載置部材１００の直下に位置させて標本載置部材１００に載置された標本の観察を行うものである。
【００１７】
レボルバ保持台９は、図示せぬラック−ピニオン機構を介して回転焦準部１１に接続されており、回転焦準部１１での回転運動により、レボルバ３をステージ２に対して近接離反する態様で上下方向に沿って変位させるものである。この回転焦準部１１にはモータ１１ａが内蔵してある。このモータ１１ａは、顕微鏡本体１に設けられた制御基板１ａを介して制御装置４０にケーブルＣ２で接続してあり、かかる制御装置４０から指令が与えられることにより駆動する駆動源であり、かつ制御装置４０に対してステージ２のＸＹ方向の位置情報を伝達するものである。このモータ１１ａが駆動することにより、回転焦準部１１が回転運動を行い、この結果、レボルバ保持台９がレボルバ３を上下方向に沿って変位させることになる。
【００１８】
第１ランプハウス４は、光源４ａを内蔵した筐体であり、投光管１２を介して顕微鏡本体１に着脱可能となる態様で配設してある。投光管１２は、第１ランプハウス４の光源４ａが発した光の通過を許容するものである。
【００１９】
ミラーユニット５は、励起フィルタ５ａ、ダイクロイックミラー５ｂ及び吸収フィルタ５ｃを有したものであり、ミラーカセット１３の内部で該ミラーカセット１３に内蔵された図示せぬモータにより、第１ランプハウス４の光源４ａが発した光の光路に対して進入、あるいは離脱する態様で挿脱可能に構成してある。
【００２０】
ミラー６は、ミラーカセット１３の下方域に設けてあり、結像レンズ１４から射出された光を反射させるものである。ここで、結像レンズ１４は、対物レンズ１０から射出された平行光を収束させて標本の観察像を結像させるものである。
【００２１】
鏡筒７は、顕微鏡本体１に着脱可能に設けたものであり、内部にプリズム７ａを有している。この鏡筒７は、ミラー６で反射され、かつリレーレンズ１５を通過した光を偏向し、接眼レンズ１６に伝達させるものである。
【００２２】
第２ランプハウス８は、光源８ａを内蔵した筐体であり、顕微鏡本体１を構成する透過照明支柱１ｂに支持されている。この透過照明支柱１ｂには、ミラー１７が内蔵してあり、このミラー１７は、第２ランプハウス８の光源８ａが発した光を反射させるものである。
【００２３】
図１中の符号１８はコンデンサであり、符号１９はプリズムである。コンデンサ１８は、透過照明支柱１ｂに上下方向に移動可能に配設されており、第２ランプハウス８の光源８ａが発した光をステージ２上の標本に照射させるものである。このコンデンサ１８は、透過照明支柱１ｂに設けたハンドル１ｃが操作されることにより上下方向に沿って移動可能である。プリズム１９は、結像レンズ１４とミラー６との間における光路に配置してある。このプリズム１９は、制御基板１ａにケーブル（図示せず）により接続された図示せぬモータの駆動により、結像レンズ１４から射出された光の光路に進入、あるいは離脱する態様で挿脱可能に設けてあり、光路に進入した場合には、結像レンズ１４から射出された光を図１において紙面手前方向に延在する円筒部２０に通過させるよう偏向させるものである。この円筒部２０の端部は、例えばカメラやＣＣＤカメラのような撮影機器の一部を固定することが可能であり、プリズム１９で偏向させた光により形成される像を撮影することが可能である。
【００２４】
図３〜図５は、それぞれ上記ステージ２に搭載された保持ユニット３０を拡大して示すものであり、図３は、平面図であり、図４は、図３中のＣ−Ｄ線断面図及びＥ−Ｆ線断面図を連続して示したものであり、図５は、図３に示した保持ユニットの側面図である。これら図３〜図５を適宜参照しながら保持ユニット３０について説明する。尚、図３において、紙面上右方を右側、紙面上左方を左側とし、紙面上上方を奥側、紙面上下方を手前側として説明する。
【００２５】
ここで例示する保持ユニット３０は、スライドガラス保持部材（第２保持部材）３１と、シャーレ保持部材（第１保持部材）３２と、ロック部材３３とを備えて構成してある。
【００２６】
スライドガラス保持部材３１は、土台３１０に開口３１１、ガイド部３１２及びスライドガラス支持部３１３を設けて構成してある。土台３１０は、ステージ２に形成された開口２１を覆う態様で配設してあり、下方に突設されたピン３１０ａがステージ２に形成された図示せぬピン孔に挿通することによりステージ２に対して回転方向の位置決めがされている。
【００２７】
開口３１１は、土台３１０の中央領域に形成してあり、矩形状を成している。この開口３１１は、詳細は後述するが、スライドガラス支持部３１３にスライドガラス１００ｂが支持された場合に、このスライドガラス１００ｂの略全域が該開口３１１を通じて下方から臨むことができる大きさを有している。
【００２８】
ガイド部３１２は、開口３１１の両側縁部に上方に突出する態様で形成された左右一対のものであり、前後方向が長手方向となる長尺状のものである。これらガイド部３１２には、前後方向に延在する溝部３１２ａが形成してある。溝部３１２ａは、シャーレ保持部材３２の端部の進入を許容する大きさを有しており、より詳細にはシャーレ保持部材３２の端部の厚みよりも僅かに大きい幅を有している。
【００２９】
これらガイド部３１２のうち、左側のガイド部３１２には、左方に突出する突出片３１２ｂが設けてある。かかる突出片３１２ｂの下面には磁石３１２ｃが配設してある。つまり、突出片３１２ｂは、磁石保持部材である。また、左側のガイド部３１２の奥側端部における上面には、２つのネジ３１２ｄが前後に並ぶよう並設してある。かかるネジ３１２ｄについては後述する。
【００３０】
スライドガラス支持部３１３は、左右一対のガイド部３１２の略中央領域に設けた台状部であり、例えばスライドガラス１００ｂのような矩形状の底面に標本が載置された標本載置部材（第２標本載置部材）を支持する支持部材である。このようなスライドガラス支持部３１３は、二点差線で例示するスライドガラス１００ｂの左右両端部を載置させて支持するものである。より詳細には、スライドガラス支持部３１３は、択一的に選択された対物レンズ１０、あるいはコンデンサ１８から射出された光（照明光）がスライドガラス１００ｂに載置された標本に照射され、かつ標本の各点から発せられた光が択一的に選択された対物レンズ１０を通過することが可能な位置にスライドガラス１００ｂを支持するものである。
【００３１】
シャーレ保持部材３２は、例えば板状のシャーレ保持板部材３２０に、開口３２１、ツマミ３２２、ガイド孔３２３、磁石保持片３２４及びガイド部３２５を設けて構成してある。開口３２１は、シャーレ保持板部材３２０の略中央領域に形成してあり、円形状を成している。この開口３２１は、スライドガラス保持部材３１に形成された開口３１１よりも面積が小さいものであるが、かかる開口３２１を覆う態様で開口縁部３２１ａの上面の領域に例えばシャーレのような円形状の底面に標本が載置された標本載置部材（第１標本載置部材）が載置された場合に、シャーレ１００ａの底面の大部分が該開口３２１を通じて下方から臨むことができる大きさを有している。
【００３２】
ツマミ３２２は、シャーレ保持板部材３２０の手前側端部の上面に突設してあり、検鏡者が掴むのに充分な大きさを有している。
【００３３】
ガイド孔３２３は、シャーレ保持板部材３２０の左側端部において形成されたコ字状の孔であり、前後方向が長手方向となる態様で形成されたガイド孔部３２３ａと、ガイド孔部３２３ａの手前側端部よりガイド孔部３２３ａの延在方向に直交する方向、すなわち右方に向けて延在する第１規制孔部３２３ｂと、ガイド孔部３２３ａの奥側端部よりガイド孔部３２３ａの延在方向に直交する方向、すなわち右方に向けて延在する第２規制孔部３２３ｃ（図６参照）とを有している。ガイド孔部３２３ａの延在長さは、詳細は後述するシャーレ保持部材３２の移動量を規定するものであり、予め必要十分な移動量を確保する観点から決められている。第１規制孔部３２３ｂの延在長さと第２規制孔部３２３ｃの延在長さとは略等しい。
【００３４】
磁石保持片３２４は、シャーレ保持板部材３２０の奥側端部より左方に突出する態様で形成された舌片状のものである。この磁石保持片３２４の下面には磁石３２４ａが配設してある。この磁石保持片３２４に配設された磁石３２４ａと、上記磁石３１２ｃとは、同一直線上に配置されている。
【００３５】
ガイド部３２５は、シャーレ保持板部材３２０の奥側端部の上面に設けてあり、ジグ３２５ａと、ガイド３２５ｂと、ツマミ３２５ｃとを備えて成るものである。ジグ３２５ａは、シャーレ保持板部材３２０の上面から上方に突出する態様で設けられたロッド状のものであり、その中心軸を軸心にして回転可能なものである。ガイド３２５ｂは、基端がジグ３２５ａに接続され、先端が当接部と成るものである。このガイド３２５ｂは、ジグ３２５ａの回転に応じてジグ３２５ａの軸心回りに回動するものである。ツマミ３２５ｃは、ガイド３２５ｂから側方に突出して設けられた操作部分である。
【００３６】
このようなガイド部３２５は、図３に示すようにガイド３２５ｂがジグ３２５ａより手前側に位置して前後方向に沿って延在している場合に、一般的に良く用いられる大きさのシャーレ１００ａを、その側面を当接部に当接させた状態で開口３２１を覆う態様で開口縁部３２１ａの上面に載置すると、該シャーレ１００ａの底面の中心が開口３２１の中心に一致させることができる大きさに調整してある。つまり、ガイド部３２５は、位置合わせを補助する役割を有している。また、ガイド部３２５は、一般的なシャーレ１００ａよりも径の大きいシャーレ（以下、拡径のシャーレともいう）を載置する場合には、ツマミ３２５ｃが操作されてジグ３２５ａの軸心回りにガイド３２５ｂを例えば９０°回動されることにより、開口３２１を覆う態様で開口縁部３２１ａの上面に拡径のシャーレを載置することができるようにしてある。
【００３７】
ロック部材３３は、板状のロック板部材３３０にツマミ３３１、係合突起３３２及び長孔３３３を設けて構成してある。ツマミ３３１は、ロック板部材３３０の左側端部の上面に上方に突出する態様で設けた操作部分である。係合突起３３２は、ロック板部材３３０の右側端部の下面より下方に突出する態様で設けた突起であり、シャーレ保持部材３２を構成するガイド孔３２３に進入している。長孔３３３は、複数（図示の例では２つ）あり、ロック板部材３３０の中央領域に左右方向が長手方向となるよう前後に並んで設けてある。各長孔３３３には、左側のガイド部３１２の奥側端部における上面に設けたネジ３１２ｄが貫通している。
【００３８】
このような構成のロック部材３３は、図示せぬバネのような付勢手段により常時右方に向けて付勢されており、これにより、係合突起３３２がガイド孔３２３の第２規制孔部３２３ｃの右縁部に当接し、左側ガイド部３１２に設けたネジ３１２ｄが長孔３３３の左縁部に当接している。
【００３９】
また、上記ロック部材３３は、ロック板部材３３０に磁石３３４が設けて構成してある。かかる磁石３３４は、ロック板部材３３０の下面であって、ロック部材３３がバネにより付勢されて図３のような状態にある場合、つまり、係合突起３３２がガイド孔３２３の第２規制孔部３２３ｃの右縁部に当接し、左側ガイド部３１２に設けたネジ３１２ｄが長孔３３３の左縁部に当接している場合に、上記突出片３１２ｂに配設された磁石３１２ｃ及び上記磁石保持片３２４に配設された磁石３２４ａと前後方向に沿って同一直線上に配置される。
【００４０】
このような保持ユニット３０が搭載されたステージ２には、突出片３１２ｂに配設された磁石３１２ｃ、磁石保持片３２４に配設された磁石３２４ａ、並びにロック部材３３を構成するロック板部材３３０に配設された磁石３３４、つまり、同一直線上に並ぶ磁石３１２ｃ，３２４ａ，３３４に対向する位置にセンサ２２が設けてある。センサ２２は、対向する磁石３１２ｃ，３２４ａ，３３４の存否を検知するものであり、その旨をケーブルＣ３を通じて制御装置４０に信号として与えるものである。
【００４１】
制御装置４０は、例えばパーソナルコンピュータを用いて実現され、記憶部４１に記憶されたデータやプログラムに従って顕微鏡の動作を統括的に制御するものである。この制御装置４０は、キーボードやマウスのような入力部４２、並びにモニターのような出力部４３に接続してある。また、制御装置４０は、ステージ２に設けられたモータ１１ａやセンサ２２にケーブルＣ１，Ｃ２を介して接続されるとともに、顕微鏡本体１に設けられた制御基板１ａを介して回転焦準部１１、ミラーカセット１３、プリズム７ａを駆動させるモータ（１１ａ）に接続されている。
【００４２】
以上のような構成を有する顕微鏡においては、次のようにしてシャーレ１００ａに載置された標本が観察される。ここで、保持ユニット３０は、図３〜図５に示す状態、すなわちシャーレ保持部材３２とスライドガラス保持部材３１とが互いの開口３１１，３２１が対向する態様で重なった状態にある。
【００４３】
シャーレ１００ａがシャーレ保持部材３２の開口３２１を覆う態様で開口縁部３２１ａの上面に載置されることにより、シャーレ保持部材３２はシャーレ１００ａを保持する。そして、入力部４２が操作されることにより、制御装置４０は、モータを駆動させてプリズムを光路から退避させる。その後第１ランプハウス４の光源４ａが発した光は、励起フィルタ５ａを通過してダイクロイックミラー５ｂで反射され、択一的に選択された対物レンズ１０を通り、シャーレ１００ａの底面に載置された標本に照射される。この標本の各点から発せられた光（蛍光）が、対物レンズ１０、ダイクロイックミラー５ｂ、吸収フィルタ５ｃ、結像レンズ１４を通り、ミラー６で反射されて、リレーレンズ１５、プリズム７ａを通り接眼レンズ１６で観察される。
【００４４】
シャーレ１００ａに載置された標本の観察を行う場合、ステージ２のセンサ２２によりスライドガラス保持部材３１、シャーレ保持部材３２及びロック部材３３の磁石３１２ｃ，３２４ａ，３３４はすべて検知されており、その旨が信号として制御装置４０に与えられる。これにより、制御装置４０は、記憶部４１に予め記憶されたストローク量、すなわちシャーレ１００ａに載置された標本の観察に支障がない程度に規制されたストローク量でステージ２を移動、回転焦準部１１によるレボルバ保持台９を移動させることができる。
【００４５】
次に、顕微鏡でスライドガラス１００ｂに載置された標本を観察する場合について説明する。検鏡者によりロック部材３３のツマミ３３１が操作されて、ロック部材３３がバネによる付勢力に抗して左方に移動する。図６に示すように、ロック部材３３が距離ｋだけ左方に移動するときに、ロック部材３３に配設された磁石３３４は、センサ２２の検知範囲（上方域）から逸脱する。これによりセンサ２２は、ロック部材３３に配設された磁石３３４の移動を検知し、その旨が制御装置４０に与えられる。その旨が与えられた制御装置４０は、記憶部４１に記憶された退避変位量に従って回転焦準部１１のモータ１１ａを駆動させ、回転焦準部１１が回転運動することによりレボルバ保持台９によって対物レンズ１０が下方に向けて変位する。ここで退避変位量は、シャーレ保持部材３２の下面（シャーレ保持板部材３２０の下面）からシャーレ１００ａに載置された標本に至る距離に、保持ユニット３０の寸法公差を加えた大きさの量である。
【００４６】
ところで、検鏡者の操作により左方に向けて移動するロック部材３３が距離Ｌだけ移動すると、係合突起３３２がガイド孔部３２３ａに進入可能となるために、シャーレ保持部材３２が奥側に向けて退避移動することが可能になる。そこで、ロック部材３３が距離Ｌ−ｋを左方に移動する間に対物レンズ１０が退避変位量だけ変位する必要がある。よって、シャーレ保持部材３２を構成するガイド孔部３２３ａの第２規制孔部３２３ｃの延在長さは、ロック部材３３（係合突起３３２）が距離Ｌ−ｋを左方に移動するときに対物レンズ１０を退避変位量だけ下方に変位させることができるのに十分な大きさを有している。
【００４７】
左方に向けて移動するロック部材３３が距離Ｌだけ移動した後、ツマミ３３１が操作されることにより、シャーレ保持部材３２は、図７及び図８に示すように奥側に向けて退避移動する。ここでシャーレ保持部材３２の退避移動量は、ガイド孔部３２３ａの延在長さにより規定される。そして、ロック部材３３を構成する係合突起３３２がガイド孔部３２３ａの手前側端部に至ると、バネの付勢力により第１規制孔部３２３ｂに進入する結果、ロック部材３３が右方に移動する。これにより、シャーレ保持部材３２は、スライドガラス保持部材３１の外方域、すなわち奥側に退避移動した状態となる。また、ロック部材３３を構成する磁石３３４と、スライドガラス保持部材３１を構成する磁石３１２ｃとが同一直線上に配置され、ステージ２のセンサ２２により検知される。
【００４８】
このようにしてシャーレ保持部材３２を退避移動させた後に、スライドガラス１００ｂの両端部をスライドガラス支持部３１３に載置して支持されることにより、スライドガラス保持部材３１はスライドガラス１００ｂを保持する。そして、入力部４２が操作されることにより、制御装置４０は、モータ１１ａを駆動させてプリズム１９を光路から退避させる。その後第１ランプハウス４の光源４ａが発した光は、励起フィルタ５ａを通過してダイクロイックミラー５ｂで反射され、択一的に選択された対物レンズ１０を通り、スライドガラス１００ｂの底面に載置された標本に照射される。この標本の各点から発せられた光（蛍光）が、対物レンズ１０、ダイクロイックミラー５ｂ、吸収フィルタ５ｃ、結像レンズ１４を通り、ミラー６で反射されて、リレーレンズ１５、プリズム７ａを通り接眼レンズ１６で観察される。
【００４９】
スライドガラス１００ｂに載置された標本の観察を行う場合、ステージ２のセンサ２２によりスライドガラス保持部材３１及びロック部材３３の磁石３１２ｃ，３３４のみが検知されることになり、その旨が信号として制御装置４０に与えられる。これにより、制御装置４０は、記憶部４１に予め記憶されたストローク量、すなわちスライドガラス１００ｂに載置された標本の観察に支障がない程度に規制されたストローク量でステージ２を移動、回転焦準部１１によるレボルバ保持台９を移動させることができる。
【００５０】
ここで、センサ２２が検知範囲から逸脱したロック部材３３の磁石３３４、すなわち該磁石３３４の移動を検知してから予め決められた時間内に当該磁石３３４を検知できない場合には、制御装置４０は誤操作である旨を判断し、その旨を出力部４３により出力して報知しても良い。
【００５１】
以上のような本発明の実施の形態１における顕微鏡においては、シャーレ保持部材３２が第１保持部材を構成し、スライドガラス保持部材３１が第２保持部材を構成し、ガイド孔３２３、ネジ３１２ｄ及びロック部材３３が、第１保持部材が２保持部材に対して相対的に移動可能となる態様で第１保持部材と第２保持部材とを係合し、第１保持部材に保持された第１標本載置部材の標本の観察を行う場合には、第１保持部材と第２保持部材とを互いの開口が対向する態様で重なった状態にする一方、第２保持部材に保持された第２標本載置部材の標本の観察を行う場合には、第２保持部材の外方域に第１保持部材を退避移動させた状態にする係合手段を構成している。
【００５２】
ところで、再びシャーレ１００ａに載置された標本の観察を行う場合には、ロック部材３３のツマミ３３１が操作されて、ロック部材３３がバネによる付勢力に抗して左方に移動する。ここで、第１規制孔部３２３ｂの延在長さは、第２規制孔部３２３ｃの延在長さと略等しいから、ロック部材３３（係合突起３３２）が第１規制孔部３２３ｂを移動するときに対物レンズ１０を退避変位量だけ下方に変位させることができる。左方に向けて移動するロック部材３３が距離Ｌだけ移動した後、ツマミ３３１が操作されることにより、シャーレ保持部材３２が手前側に押圧されることにより、シャーレ保持部材３２は、手前側に移動する。そして、ロック部材３３を構成する係合突起３３２がガイド孔部３２３ａの奥側端部に至ると、バネの付勢力により第２規制孔部３２３ｃに進入する結果、ロック部材３３が右方に移動する。これにより、シャーレ保持部材３２は、スライドガラス保持部材３１と重なった状態となる。そして、シャーレ保持部材３２の開口３２１を覆う態様で開口縁部３２１ａの上面にシャーレ１００ａを載置することにより、シャーレ１００ａに載置された標本の観察を行うことができる。
【００５３】
以上説明したように本発明の実施の形態１における顕微鏡によれば、シャーレ保持部材３２が、開口３２１を覆う態様で開口縁部３２１ａの上面にシャーレ１００ａが載置された場合にシャーレ１００ａを保持し、スライドガラス保持部材３１が、開口３２１を臨む態様で付設されたスライドガラス支持部３１３によりスライドガラス１００ｂが支持された場合にスライドガラス１００ｂを保持し、シャーレ保持部材３２がスライドガラス保持部材３１に対して相対的に移動可能となる態様でスライドガラス保持部材３１に係合され、シャーレ１００ａの標本の観察を行う場合には、シャーレ保持部材３２がスライドガラス保持部材３１と互いの開口３１１，３２１が対向する態様で重なった状態になり、スライドガラス１００ｂの標本の観察を行う場合には、スライドガラス保持部材３１の奥側域にシャーレ保持部材３２を退避移動させた状態になるので、シャーレ１００ａの標本を観察する場合には、シャーレ保持部材３２の開口３２１を覆う態様で開口縁部３２１ａの上面にシャーレ１００ａを載置するだけで良く、シャーレ１００ａが転倒する虞れがない。スライドガラス１００ｂの標本を観察する場合にはシャーレ保持部材３２を退避移動させてスライドガラス保持部材３１にスライドガラス１００ｂを保持させれば良く、この保持は、スライドガラス１００ｂの両端部をスライドガラス支持部３１３に載置して成り立つものであり、しかもスライドガラス保持部材３１の開口３１１はシャーレ保持部材３２の開口３２１よりも面積を大きくしてあることから、スライドガラス１００ｂの略全域を観察することが可能である。従って、シャーレ１００ａやスライドガラス１００ｂ等の種々の形状を有する標本載置部材を安定して、かつ簡単に保持することができ、標本載置部材に載置された標本を良好に観察することができる。
【００５４】
上記顕微鏡によれば、シャーレ保持部材３２を構成するガイド孔３２３の第１規制孔部３２３ｂ及び第２規制孔部３２３ｃは、略等しい延在長さを有し、その延在長さは、ロック部材３３（係合突起３３２）が該孔部を移動するときに対物レンズ１０を退避変位量だけ下方に変位させることができるのに十分な大きさを有していることから、シャーレ保持部材３２をスライドガラス保持部材３１に対して移動させる際に、これらと対物レンズ１０が衝突してしまうことがなく、装置機器の破損を招来する虞れがない。
【００５５】
また、上記顕微鏡によれば、センサ２２により検知される磁石３１２ｃ，３２４ａ，３３４の数によりシャーレ保持部材３２とスライドガラス保持部材３１との位置関係を認識できるため、シャーレ１００ａに載置された標本の観察、並びにスライドガラス１００ｂに載置された標本の観察を行う場合には、駆動部位を必要十分な量だけ駆動させれば良く、これにより安全な装置を検鏡者に提供することができる。
【００５６】
以上、本発明の好適な実施の形態１について説明したが、本発明はこれに限定されるものではなく、種々の変更を行うことができる。例えば、図９に示すように、シャーレ保持部材３２′を構成するガイド孔３２６は、前後方向が長手方向となる態様で形成されたガイド孔部３２６ａと、ガイド孔部３２６ａの手前側端部より右方手前側に向けて斜めに延在する第１規制孔部３２６ｂと、ガイド孔部３２６ａの奥側端部より右方奥側に向けて斜めに延在する第２規制孔部３２６ｃとを有して成るものであっても良い。ここで、ガイド孔部３２６ａの延在長さは、シャーレ保持部材３２′の移動量を規定するものであり、予め必要十分な移動量を確保する観点から決められている。第１規制孔部３２６ｂの延在長さと第２規制孔部３２６ｃの延在長さとは略等しい。このようなガイド孔３２６を有するシャーレ保持部材３２′を適用した場合、第１規制孔部３２６ｂの縁部及び第２規制孔部３２６ｃの縁部がカムとして作用し、ロック部材３３をバネの付勢力に抗して左方に移動させなくても、ツマミ３３１を操作してシャーレ保持部材３２を奥側に向けて押圧するだけで、シャーレ保持部材３２を退避移動させることができる。また逆に、シャーレ保持部材３２が退避移動した状態にある場合には、ツマミ３３１を操作してシャーレ保持部材３２を手前側に押圧するだけで、シャーレ保持部材３２を移動させることができ、スライドガラス保持部材３１と重なった状態にすることができる。このような構成によっても、上述した実施の形態１の顕微鏡と同様の作用効果を奏することができる。
【００５７】
また、上述した実施の形態１では、スライドガラス保持部材３１、シャーレ保持部材３２及びロック部材３３のそれぞれに設けた磁石３１２ｃ，３２４ａ，３３４の検知パターンにより、シャーレ保持部材３２の位置、並びにシャーレ保持部材３２の移動開始の有無を検知するようにしていたが、本発明では、３つの磁石３１２ｃ，３２４ａ，３３４を必ずしも必要とするものではなく、２つの磁石の検知パターンによって、シャーレ保持部材の位置、並びにシャーレ保持部材の移動開始の有無を検知するようにしても構わない。
【００５８】
＜実施の形態２＞
図１０及び図１１は、それぞれ本発明の実施の形態２における顕微鏡を構成する保持ユニットを拡大して示すものであり、図１０は、平面図であり、図１１は、図１０のＧ−Ｇ線断面図である。尚、上述した実施の形態１と同様の構成を有するものには同一の符号を付してその説明を省略する。
【００５９】
ここに例示する保持ユニット５０は、スライドガラス保持部材５１と、シャーレ保持部材５２とを備えて構成してある。
【００６０】
スライドガラス保持部材５１は、土台３１０に開口３２１、ガイド部３１２、スライドガラス支持部３１３、モータ５１４、センサ５１５を設けて構成してある。つまり、上述した実施の形態１におけるスライドガラス保持部材３１とモータ５１４及びセンサ５１５を備える点で異なる。モータ５１４は、右側ガイド部３１２の奥側上面に配設した正逆回転のものである。かかるモータ５１４は、後述する制御装置４０から指令が与えられることにより駆動し、連結される歯車５１４ａを正方向、あるいは逆方向に回転させるものである。
【００６１】
センサ５１５は、左側ガイド部３１２の奥側端部の上面に配設されたものである。このセンサ５１５は、後述するシャーレ保持部材５２を構成する磁石５２２，５２３，５２４を検知し、その旨を制御装置４０に検知信号として与えるものである。
【００６２】
シャーレ保持部材５２は、例えば板状のシャーレ保持板部材３２０に、開口３２１、ガイド部３１２、ラック部５２１及び磁石５２２，５２３，５２４を設けて構成してある。ラック部５２１は、シャーレ保持板部材３２０の右側端部において前後方向が長手方向となる態様で配設された長尺状のものである。このラック部５２１は、スライドガラス保持部材５１を構成するモータ５１４の歯車５１４ａと噛合するものである。
【００６３】
磁石５２２，５２３，５２４は、複数（図示の例では３つ）設けてあり、シャーレ保持板部材３２０の左側領域における手前側に２つの手前側磁石５２２，５２３が左右に並んで設けてあり、該左側領域の奥側に１つの奥側磁石５２４が設けてある。これら磁石５２２，５２３，５２４は、シャーレ保持部材５２が移動した際にスライドガラス保持部材５１を構成するセンサ５１５と対向可能になっている。
【００６４】
図１２は、本発明の実施の形態２である顕微鏡の制御系を示すブロック図であり、特徴的な構成要素のみを示している。顕微鏡は、エンコーダ４５及び制御装置４０を備えている。
【００６５】
エンコーダ４５は、レボルバ保持台９の位置を検知するものである。このエンコーダ４５は、レボルバ保持台９が上記所定の退避変位量、すなわちシャーレ保持部材５２の下面（シャーレ保持板部材３２０の下面）からシャーレ１００ａに載置された標本に至る距離に、保持ユニット５０の寸法公差を加えた大きさの量だけ変位した場合、つまり対物レンズ１０が退避変位量分だけ変位した場合にその旨の信号を制御装置４０に与えるものである。
【００６６】
制御装置４０は、本実施の形態２の特徴的なものとして移動制御部４６を備えている。移動制御部４６は、後述する移動制御処理を実施するものであり、入力処理部４６１、第１モータ駆動処理部４６２及び第２モータ駆動処理部４６３を備えている。入力処理部４６１は、センサ５１５やエンコーダ４５、あるいは入力部４２から与えられる種々の信号を入力処理するためのものである。第１モータ駆動処理部４６２は、回転焦準部１１に内蔵されたモータ１１ａを駆動させるものである。第２モータ駆動処理部４６３は、スライドガラス保持部材５１を構成するモータ５１４を正方向、あるいは逆方向に駆動させるものである。
【００６７】
図１３は、上記制御装置を構成する移動制御部が実施する移動制御処理の処理内容を示すフローチャートである。かかる移動制御処理を説明することにより、シャーレ保持部材５２がスライドガラス保持部材５１に対して相対的に変位する保持ユニット５０の動作について説明する。
【００６８】
検鏡者により入力部４２が操作されて標本載置部材１００の切換指令を、入力処理部４６１を通じて入力した場合（ステップＳ１０１：Ｙｅｓ）、より具体的には、モニター等に表示された標本載置部材交換ボタンがタッチされることにより切換指令が与えられた場合、移動制御部４６は、第１モータ駆動処理部４６２を通じて回転焦準部１１に内蔵されたモータ１１ａを駆動させてレボルバ保持台９を下方向に変位させ（ステップＳ１０２）、その後エンコーダ４５からの応答待ちとなる。
【００６９】
そして、入力処理部４６１を通じてエンコーダ４５からレボルバ保持台９が退避変位量分だけ変位した旨の信号を入力した場合（ステップＳ１０３：Ｙｅｓ）、移動制御部４６は、入力処理部４６１を通じてセンサ５１５が奥側磁石５２４を検知しているか否かを判断する。そして、センサ５１５が奥側磁石５２４を検知している場合（ステップＳ１０４：Ｙｅｓ）、すなわち図１０及び図１１に示すようにシャーレ保持部材５２がスライドガラス保持部材５１に重なった状態にある場合、移動制御部４６は、第２モータ駆動処理部４６３を通じてモータ５１４を正方向に回転させる（ステップＳ１０５）。かかるモータ５１４が正方向に回転することにより、歯車５１４ａを介して噛合するラック部５２１を奥側方向に移動、つまりシャーレ保持部材５２を奥側に向けて退避移動させる。
【００７０】
そして、入力処理部４６１を通じてセンサ５１５が手前側磁石５２２，５２３を検知した場合（ステップＳ１０６：Ｙｅｓ）、移動制御部４６は、第２モータ駆動処理部４６３を通じてモータ５１４の駆動を停止させ（ステップＳ１０７）、その後に手順をリターンさせて今回の処理を終了する。
【００７１】
これによれば、図１４に示すようにシャーレ保持部材５２を予め決められた移動量分だけ退避移動させることができる。
【００７２】
一方、上記ステップＳ１０４において、センサ５１５が奥側磁石５２４を検知しておらず、手前側磁石５２２，５２３を検知している場合（ステップＳ１０４：Ｎｏ）、すなわち図１４に示すようにシャーレ保持部材５２がスライドガラス保持部材５１から退避移動した状態にある場合、移動制御部４６は、第２モータ駆動処理部４６３を通じてモータ５１４を逆方向に回転させる（ステップＳ１０８）。かかるモータ５１４が逆方向に回転することにより、歯車５１４ａを介して噛合するラック部５２１を手前側方向に移動、つまりシャーレ保持部材５２を手前側に向けて退避移動させる。
【００７３】
そして、入力処理部４６１を通じてセンサ５１５が奥側磁石５２４を検知した場合（ステップＳ１０９：Ｙｅｓ）、移動制御部４６は、第２モータ駆動処理部４６３を通じてモータ５１４の駆動を停止させ（ステップＳ１０７）、その後に手順をリターンさせて今回の処理を終了する。
【００７４】
これによれば、図１０及び図１１に示すようにシャーレ保持部材５２をスライドガラス保持部材５１に重なった状態にすることができる。
【００７５】
以上説明したような第２の実施の形態における顕微鏡においては、シャーレ保持部材５２が第１保持部材を構成し、スライドガラス保持部材５１が第２保持部材を構成し、モータ５１４、歯車５１４ａ、ラック部５２１が、第１保持部材が２保持部材に対して相対的に移動可能となる態様で第１保持部材と第２保持部材とを係合し、第１保持部材に保持された第１標本載置部材の標本の観察を行う場合には、第１保持部材と第２保持部材とを互いの開口が対向する態様で重なった状態にする一方、第２保持部材に保持された第２標本載置部材の標本の観察を行う場合には、第２保持部材の外方域に第１保持部材を退避移動させた状態にする係合手段を構成し、センサ５１５及び磁石５２２，５２３，５２４が第１保持部材が第２保持部材に対して退避移動した状態、あるいは重なった状態にあるかを検知する検知手段を構成し、制御装置４０が切換指令が与えられ、かつ検知手段により退避移動した状態にあることが検知された場合に、第１保持部材を第２保持部材に重なった状態になるまで移動させる一方、切換指令が与えられ、かつ検知手段により重なった状態にあることが検知された場合に、第１保持部材を退避移動させる制御手段を構成している。
【００７６】
以上説明したような本発明の実施の形態２である顕微鏡によれば、上述した実施の形態１である顕微鏡が奏する効果に加え、次のような効果を奏する。すなわち、制御装置４０によりシャーレ保持部材５２の移動を自動的に行うようにしたので、検鏡者は入力部４２を通じて切換指令を与えて、シャーレ１００ａ又はスライドガラス１００ｂを載置すればよく、操作が煩雑なものにならない。
【００７７】
＜実施の形態３＞
図１５〜図１７は、それぞれ本発明の実施の形態３である顕微鏡を構成する保持ユニットを拡大して示すものであり、図１５は、平面図であり、図１６は、図１５のＢ−Ｂ線断面図であり、図１７は、図１５のＢ′−Ｂ′線断面図である。尚、上述した実施の形態１と同様の構成を有するものには同一の符号を付してその説明を省略する。
【００７８】
ここに例示する保持ユニット６０は、スライドガラス保持部材６１と、シャーレ保持部材６２と、切換部材６３とを備えて構成してある。
【００７９】
スライドガラス保持部材６１は、土台３１０に開口３１１、ガイド部６１２及びスライドガラス支持部３１３を設けて構成してある。ガイド部６１２は、開口３１１を囲繞するよう上方に突出して形成されたものであり、土台３１０との間にシャーレ保持部材６２の進入を許容する中空部６１２ａが設けてある。
【００８０】
シャーレ保持部材６２は、例えば板状のシャーレ保持板部材３２０に、開口３２１、ツマミ６２２及び突起部６２３を設けて構成してある。ツマミ６２２は、シャーレ保持板部材３２０の手前側端部の上面に左右一対となる態様で突設してあり、検鏡者が掴むのに充分な大きさを有している。突起部６２３は、シャーレ保持板部材３２０の下面におけるツマミ６２２の突設個所に対応する部分に下方に突出する態様で設けてある。この突起部６２３の突出高さは、上述した退避変位量に相当する大きさを有している。また、図１５〜１７に例示するようにシャーレ保持部材６２がスライドガラス保持部材６１に重なった状態にある場合には、突起部６２３は、スライドガラス保持部材６１を構成する土台３１０に形成された孔部６１０ａに挿入されている。
【００８１】
切換部材６３は、複数（図示の例では２つ）設けてあり、シャーレ保持部材６２の両側域に設けてある。この切換部材６３は、シャーレ保持部材６２の臨む端部６３１が、その上面が下方に向けて漸次傾斜した楔状を成している。この切換部材６３には左右方向が長手方向となる長孔６３２が複数形成してあり、それぞれの長孔６３２には、土台３１０に形成されたピン６１０ｂが挿通している。
【００８２】
このような構成を有する保持ユニット６０では、シャーレ１００ａに載置された標本の観察を行う場合には、スライドガラス保持部材６１に重なった状態にあるシャーレ保持部材６２の開口３２１を覆う態様で開口縁部３２１ａの上面にシャーレ１００ａを載置すればよい。
【００８３】
そして、シャーレ１００ａではなくスライドガラス１００ｂに載置された標本の観察を行う場合には、次のようにしてスライドガラス保持部材６１に重なった状態にあるシャーレ保持部材６２を退避移動させればよい。すなわち、切換部材６３をシャーレ保持部材６２に向けてスライド移動させることにより、切換部材６３の楔状の端部６３１によりシャーレ保持部材６２は上方に向けて移動することになる。ここで切換部材６３のスライド移動は、長孔６３２にピン６１０ｂが挿通していることにより、長孔６３２の左右方向の長さの分だけに規制されている。
【００８４】
このようにシャーレ保持部材６２が上方に向けて移動することにより、突起部６２３が孔部６１０ａから離脱する。突起部６２３が孔部６１０ａから離脱する場合には、シャーレ保持部材６２は上述した退避変位量に相当する分だけ上方に移動したことになる。
【００８５】
そして、ツマミ６２２が操作されることにより、シャーレ保持部材６２は奥側に向けて退避移動し、図１８に示すような状態になる。このシャーレ保持部材６２の退避移動では、突起部６２３が土台３１０の上面に摺接する結果、その高さレベルが保持される。従って、対物レンズ１０を退避変位量分だけ下方に変位させなくても移動するシャーレ保持部材６２と対物レンズ１０とが接触することを回避することができる。
【００８６】
シャーレ保持部材６２を退避移動させた後、スライドガラス１００ｂの両端部がスライドガラス支持部３１３に載置されて支持されることにより、スライドガラス保持部材６１はスライドガラス１００ｂを保持する。そして、上述した手順によりスライドガラス１００ｂに載置された標本の観察を行うことができる。
【００８７】
その後、シャーレ１００ａに載置された標本の観察を行う場合には、シャーレ保持部材６２を手前側に移動させて、突起部６２３を孔部６１０ａに進入させればよい。
【００８８】
以上説明したように本発明の実施の形態３における顕微鏡によれば、シャーレ保持部材６２が、開口３２１を覆う態様で開口縁部３２１ａの上面にシャーレ１００ａが載置された場合にシャーレ１００ａを保持し、スライドガラス保持部材６１が、開口３１１を臨む態様で付設されたスライドガラス支持部３１３によりスライドガラス１００ｂが支持された場合にスライドガラス１００ｂを保持し、シャーレ保持部材６２がスライドガラス保持部材６１に対して相対的に移動可能となる態様でスライドガラス保持部材６１に係合され、シャーレ１００ａの標本の観察を行う場合には、シャーレ保持部材６２がスライドガラス保持部材６１と互いの開口３１１，３２１が対向する態様で重なった状態になり、スライドガラス１００ｂの標本の観察を行う場合には、スライドガラス保持部材６１の奥側域にシャーレ保持部材６２を退避移動させた状態になるので、シャーレ１００ａの標本を観察する場合には、シャーレ保持部材６２の開口３２１を覆う態様で開口縁部３２１ａの上面にシャーレ１００ａを載置するだけで良く、シャーレ１００ａが転倒する虞れがない。スライドガラス１００ｂの標本を観察する場合にはシャーレ保持部材６２を退避移動させてスライドガラス保持部材６１にスライドガラス１００ｂを保持させれば良く、この保持は、スライドガラス１００ｂの両端部をスライドガラス支持部３１３に載置して成り立つものであり、しかもスライドガラス保持部材６１の開口３１１はシャーレ保持部材６２の開口３２１よりも面積を大きくしてあることから、スライドガラス１００ｂの略全域を観察することが可能である。従って、シャーレ１００ａやスライドガラス１００ｂ等の種々の形状を有する標本載置部材を安定して、かつ簡単に保持することができ、標本載置部材に載置された標本を良好に観察することができる。
【００８９】
以上、本発明の実施の形態１〜３について説明したが、本発明はこれらに限定されるものではなく、種々の変更を行うことができる。例えば、シャーレ１００ａの代わりにウェルプレートを載置するようにしても良い。また、オートフォーカスユニットを顕微鏡に付加して、効率的に観察を行うようにしても構わない。
【図面の簡単な説明】
【００９０】
【図１】本発明の実施の形態１である顕微鏡を正面から示した概略図である。
【図２】本発明の実施の形態１である顕微鏡の制御系を示す接続図である。
【図３】図１に示したステージに搭載された保持ユニットを拡大して示す平面図である。
【図４】図３中のＣ−Ｄ線断面図及びＥ−Ｆ線断面図を連続して示したものである。
【図５】図３に示した保持ユニットの側面図である。
【図６】図３に示した保持ユニットの要部を拡大して示す拡大平面図である。
【図７】図３に示した保持ユニットを拡大して示す平面図である。
【図８】図７に示した保持ユニットの側面図である。
【図９】図３に示した保持ユニットの変形例の要部を示す説明図である。
【図１０】本発明の実施の形態２における顕微鏡を構成する保持ユニットを拡大して示す平面図である。
【図１１】図１０のＧ−Ｇ線断面図である。
【図１２】本発明の実施の形態２である顕微鏡の制御系を示すブロック図である。
【図１３】制御装置を構成する移動制御部が実施する移動制御処理の処理内容を示すフローチャートである。
【図１４】本発明の実施の形態２における顕微鏡を構成する保持ユニットを拡大して示す平面図である。
【図１５】本発明の実施の形態３である顕微鏡を構成する保持ユニットを拡大して示す平面図である。
【図１６】図１５のＢ−Ｂ線断面図である。
【図１７】図１５のＢ′−Ｂ′線断面図である。
【図１８】本発明の実施の形態３である顕微鏡を構成する保持ユニットを拡大して示す平面図である。
【符号の説明】
【００９１】
１        顕微鏡本体
２        ステージ
２２      センサ
３０      保持ユニット
３１      スライドガラス保持部材
３１０    土台
３１１    開口
３１２    ガイド部
３１３    スライドガラス支持部
３２      シャーレ保持部材
３２０    シャーレ保持板部材
３２１    開口
３２１ａ  開口縁部
３２２    ツマミ
３２３    ガイド孔
３２５    ガイド部
３３      ロック部
３３０    ロック板部材
３３１    ツマミ
３３２    係合突起
３３３    長孔
３３４    磁石
４０      制御装置
４１      記憶部
４２      入力部
４３      出力部
１００ａ  シャーレ
１００ｂ  スライドガラス
【図１】
2010054850.tif 000003
【図２】
2010054850.tif 000004
【図３】
2010054850.tif 000005
【図４】
2010054850.tif 000006
【図５】
2010054850.tif 000007
【図６】
2010054850.tif 000008
【図７】
2010054850.tif 000009
【図８】
2010054850.tif 000010
【図９】
2010054850.tif 000011
【図１０】
2010054850.tif 000012
【図１１】
2010054850.tif 000013
【図１２】
2010054850.tif 000014
【図１３】
2010054850.tif 000015
【図１４】
2010054850.tif 000016
【図１５】
2010054850.tif 000017
【図１６】
2010054850.tif 000018
【図１７】
2010054850.tif 000019
【図１８】
2010054850.tif 000020